(57)【要約】【課題】構造が簡単で、部材を位置決めしやすく、製造が容易で歩留まりが高く、ミキシング及び共鳴効果を改善できる可動コイル圧電単体式デュアルバンドイヤホンの提供。【解決手段】ハウジング１０の内部チャンバ１０１にスピーカーユニット２０が設置され、スピーカーユニット２０の出音側とハウジング１０の出音孔１３との間にフロントチャンバ３４が形成され、スピーカーユニット２０のドームチャンバ体３０内にチャンバ部３３が形成され、圧電式スピーカー５０がドームチャンバ体３０内にチャンバ部３３の開口３０１と面一に揃うよう設置され、圧電式スピーカー５０と出音孔１３の間にフロントチャンバ３４が形成され、ダイナミック型スピーカー４０が圧電式スピーカー５０とドームチャンバ体３０の底部３１との間に介在され、回路ユニット６０が底部３１の外側に設置されて、ダイナミック型スピーカー４０と圧電式スピーカー５０に電気的に接続される。【選択図】図１
2017204844.tif 000002
【特許請求の範囲】
【請求項１】
可動コイル圧電単体式デュアルバンドイヤホンであって、ハウジングとスピーカーユニットを含み、前記ハウジングの内部に中空の内部チャンバが形成され、前記スピーカーユニットが前記ハウジングの前記内部チャンバ内に設置され、前記スピーカーユニットの出音側と前記ハウジングの間にフロントチャンバが形成され、前記ハウジングが出音孔を備え、前記出音孔と前記フロントチャンバが連通され、前記スピーカーユニットが、ドームチャンバ体と、ダイナミック型スピーカーと、圧電式スピーカーと、回路ユニットを含み、前記ドームチャンバ体が底部と側壁を含み、前記側壁が前記底部を囲んで前記ドームチャンバ体内にチャンバ部を形成し、前記ドームチャンバ体が前記フロントチャンバの方向に向いた開口を備え、前記圧電式スピーカーが前記ドームチャンバ体内に前記開口へ臨んで設置され、前記圧電式スピーカーの表面が前記開口と面一に揃い、前記圧電式スピーカーと前記ハウジングの前記出音孔の間に間隔距離が保持されて前記フロントチャンバが形成され、前記ダイナミック型スピーカーが前記チャンバ部内に設置され、かつ前記圧電式スピーカーと前記ドームチャンバ体の前記底部との間に介在され、前記ダイナミック型スピーカーと前記圧電式スピーカーの出音方向がいずれも前記出音孔に向いており、前記回路ユニットが前記ドームチャンバ体の前記底部の外側に設置され、前記回路ユニットが前記ダイナミック型スピーカーと前記圧電式スピーカーに電気的に接続されたことを特徴とする、可動コイル圧電単体式デュアルバンドイヤホン。
【請求項２】
前記ハウジングが出音管とイヤーピースを備え、前記出音管が前記出音孔を介して前記内部チャンバに連通され、前記イヤーピースが前記出音管に装着されたことを特徴とする、請求項１に記載の可動コイル圧電単体式デュアルバンドイヤホン。
【請求項３】
前記出音管の出口端にさらに防塵スクリーンが設置されたことを特徴とする、請求項２に記載の可動コイル圧電単体式デュアルバンドイヤホン。
【請求項４】
前記ハウジングがフロントハウジングとリアハウジングを含み、前記フロントハウジングと前記リアハウジングを相互に組み立てて前記ハウジングが形成され、前記出音孔が前記フロントハウジングに設置されたことを特徴とする、請求項１に記載の可動コイル圧電単体式デュアルバンドイヤホン。
【請求項５】
前記ドームチャンバ体の前記底部に少なくとも２つの穿孔が設けられ、前記チャンバ部と前記ハウジングの前記内部チャンバが連通されたことを特徴とする、請求項１に記載の可動コイル圧電単体式デュアルバンドイヤホン。
【請求項６】
前記ダイナミック型スピーカーがドライバーユニットとダイアフラムを含み、前記ドライバーユニットが磁石と電磁コイルを含み、前記磁石が前記ドームチャンバ体の内側に設置され、かつ前記底部に固定され、前記電磁コイルが前記磁石の外側に可動的に設置され、前記ダイアフラムが前記ドームチャンバ体の前記チャンバ部内に設置され、前記ダイアフラムの周縁に、前記ダイアフラムを前記ドームチャンバ体の内側壁面に固定するための固定リングが設置され、前記ダイアフラムの内側表面が前記電磁コイルに連接され、前記電磁コイルのピンが前記ドームチャンバ体に穿通されて前記回路ユニットに電気的に接続されたことを特徴とする、請求項１または４に記載の可動コイル圧電単体式デュアルバンドイヤホン。
【請求項７】
前記ドームチャンバ体がフレームを含み、前記フレームが前記ドームチャンバ体の前記チャンバ部内に設置され、かつ前記ダイナミック型スピーカーと前記圧電式スピーカーの間に介在され、前記圧電式スピーカーの前記プロテクター辺縁を、前記圧電式スピーカーと前記ダイアフラムの間に間隔距離があくよう支持することを特徴とする、請求項６に記載の可動コイル圧電単体式デュアルバンドイヤホン。
【請求項８】
前記フレームが環状の部材であり、前記ドームチャンバ体の前記側壁の内側に貼付されたことを特徴とする、請求項７に記載の可動コイル圧電単体式デュアルバンドイヤホン。
【請求項９】
前記圧電式スピーカーがプロテクターと少なくとも１つの圧電セラミックス素子を含み、前記プロテクターが前記ドームチャンバ体の前記開口内に設置され、前記プロテクターの表面が前記開口と面一に揃い、前記プロテクターの輪郭形状が前記開口の形状と一致し、前記プロテクターの外側辺縁が前記開口の内側壁面に密着され、前記圧電セラミックス素子が前記プロテクターの出音孔に向いた面に設置され、前記プロテクターが前記フロントチャンバに連通された複数の拡散孔を備え、前記複数の拡散孔が前記圧電セラミックス素子の周囲に、前記圧電式スピーカーの中心に対して対称に設置されたことを特徴とする、請求項１または４に記載の可動コイル圧電単体式デュアルバンドイヤホン。
【請求項１０】
前記ドームチャンバ体の軸方向における前記チャンバ部の断面形状が、前が広く後ろが狭い形状であって、前記開口に近い部分が広いことを特徴とする、請求項１に記載の可動コイル圧電単体式デュアルバンドイヤホン。
【発明の詳細な説明】
【技術分野】
【０００１】
本発明は、ダイナミック型スピーカーと圧電式スピーカーを含む可動コイル圧電単体式デュアルバンドイヤホンに関する。
【背景技術】
【０００２】
初期のイヤホンは１つのスピーカー（一般に拡声器とも呼ばれる）のみを備えており、そのほとんどが中低音域のスピーカーであるため、高音域の音響出力の効果が優れず、イヤホン中高音域に対する使用者のサウンド効果の要求を満たすことができなかった。
上述の問題を解決するため、中低音域スピーカーと中高音域スピーカーを含むイヤホンが提示されている。
例えば、特許文献１には、「電気音響変換装置及び電子機器」が開示されている。
この電気音響変換装置（イヤホン１００）は、筐体４１と、圧電式発音体３２と、電磁式発音体３１と、通路部３５とを具備する。圧電式発音体３２は、筐体４１に直接又は間接的に支持される周縁部を有する振動板３２１と、振動板３２１の少なくとも一方の面に配置された圧電素子３２２とを含む。圧電式発音体３２は、筐体４１の内部を第１の空間部Ｓ１と第２の空間部Ｓ２とに区画する。電磁式発音体３１は、第１の空間部Ｓ１に配置される。通路部３５は、圧電式発音体３２又はその周囲に設けられ、第１の空間部Ｓ１と第２の空間部Ｓ２との間を連通させる。
【０００３】
上記特許文献１に記載されたものは、圧電式発音体と電磁式発音体をイヤホンの筐体内部の所定位置にそれぞれ設置する方法により、同時に中低音域と高音域のサウンド効果を提供するという目的を達成しているが、改善が必要な問題がやはり存在する。
例えば、圧電式発音体３２が筐体４１に配置され、かつ筐体４１の内部を第１の空間部Ｓ１と第２の空間部Ｓ２とに区画しており、電磁式発音体３１が筐体と第１の空間部Ｓ１に設置されている。このような設計はイヤホンの部材数が比較的多く、相対して離散が複雑になり、組立て時、圧電式発音体３２を先に環状部材３４に装着してから、筐体４１に組み付け、次に電磁式発音体３１とベース部３１２を組み立ててから、筐体４１に設置し、さらにカバー４２を利用して前記電磁式発音体３１を押さえ、同時に筐体４１に組み付けて位置決めする。このため、イヤホンの組立てに時間と手間がかかり、組立てコストに影響する。
【０００４】
さらに、圧電式発音体３２と電磁式発音体３１の相対位置を合わせることが容易でなく、この結果、製品の組立て品質と歩留まりに影響を生じ、かつイヤホン１００を落としたりぶつけたりしたときに特に破損しやすいため、耐用性が優れない。
また、圧電式発音体３２が筐体４１に設置され、かつ筐体４１の内部を第１の空間部Ｓ１と第２の空間部Ｓ２とに区画しているため、圧電式発音体３２が筐体４１の内部を占用している部分の空間が大きく圧縮され、特に圧電式発音体３２と筐体４１の底部４１０の間の第２の空間部Ｓ２が非常に小さくなっており、中低音域と高音域の第２の空間部Ｓ２におけるミキシングと共鳴効果に影響し、音質の飽和度ときめ細かさに影響が生じて、特に高音域への影響が顕著である。
【先行技術文献】
【特許文献】
【０００５】
【特許文献１】特許第５７５９６４１号公報
【発明の概要】
【発明が解決しようとする課題】
【０００６】
本発明が解決しようとする課題は、構造が簡単で、部材を正確に位置決めしやすく、製造が容易で歩留まりが高く、ミキシングと共鳴の効果を改善できる可動コイル圧電単体式デュアルバンドイヤホンを提供することにある。
【課題を解決するための手段】
【０００７】
本発明の可動コイル圧電単体式デュアルバンドイヤホンは、ハウジングとスピーカーユニットを含み、前記ハウジングの内部に中空の内部チャンバが形成され、前記スピーカーユニットが前記ハウジングの前記内部チャンバ内に設置され、前記スピーカーユニットの出音側と前記ハウジングの間にフロントチャンバが形成され、前記ハウジングが出音孔を備え、前記出音孔と前記フロントチャンバが連通され、前記スピーカーユニットが、ドームチャンバ体と、ダイナミック型スピーカーと、圧電式スピーカーと、回路ユニットを含み、前記ドームチャンバ体が底部と側壁を含み、前記側壁が前記底部を囲んで前記ドームチャンバ体内にチャンバ部を形成し、前記ドームチャンバ体が前記フロントチャンバの方向に向いた開口を備え、前記圧電式スピーカーが前記ドームチャンバ体内に前記開口へ臨んで設置され、前記圧電式スピーカーの表面が前記開口と面一に揃い、前記圧電式スピーカーと前記ハウジングの前記出音孔の間に間隔距離が保持されて前記フロントチャンバが形成され、前記ダイナミック型スピーカーが前記チャンバ部内に設置され、かつ前記圧電式スピーカーと前記ドームチャンバ体の前記底部との間に介在され、前記ダイナミック型スピーカーと前記圧電式スピーカーの出音方向がいずれも前記出音孔に向いており、前記回路ユニットが前記ドームチャンバ体の前記底部の外側に設置され、前記回路ユニットが前記ダイナミック型スピーカーと前記圧電式スピーカーに電気的に接続される。
【０００８】
前記ハウジングが出音管とイヤーピースを備え、前記出音管が前記出音孔を介して前記内部チャンバに連通され、前記イヤーピースが前記出音管に装着されることがある。
この場合、前記出音管の出口端にさらに防塵スクリーンを設置するとよい。
前記ハウジングがフロントハウジングとリアハウジングを含み、前記フロントハウジングと前記リアハウジングを相互に組み立てて前記ハウジングが形成され、前記出音孔が前記フロントハウジングに設置されてもよい。
前記ドームチャンバ体の前記底部に少なくとも２つの穿孔が設けられ、前記チャンバ部と前記ハウジングの前記内部チャンバが連通されることがある。
【０００９】
前記ダイナミック型スピーカーがドライバーユニットとダイアフラムを含み、前記ドライバーユニットが磁石と電磁コイルを含み、前記磁石が前記ドームチャンバ体の内側に設置され、かつ前記底部に固定され、前記電磁コイルが前記磁石の外側に可動的に設置され、前記ダイアフラムが前記ドームチャンバ体の前記チャンバ部内に設置され、前記ダイアフラムの周縁に、前記ダイアフラムを前記ドームチャンバ体の内側壁面に固定するための固定リングが設置され、前記ダイアフラムの内側表面が前記電磁コイルに連接され、前記電磁コイルのピンが前記ドームチャンバ体に穿通されて前記回路ユニットに電気的に接続されてもよい。
この時、前記ドームチャンバ体がフレームを含み、前記フレームが前記ドームチャンバ体の前記チャンバ部内に設置され、かつ前記ダイナミック型スピーカーと前記圧電式スピーカーの間に介在され、前記圧電式スピーカーの前記プロテクター辺縁を、前記圧電式スピーカーと前記ダイアフラムの間に間隔距離があくよう支持するとよい。
前記フレームが環状の部材であり、前記ドームチャンバ体の前記側壁の内側に貼付されることがある。
【００１０】
前記圧電式スピーカーがプロテクターと少なくとも１つの圧電セラミックス素子を含み、前記プロテクターが前記ドームチャンバ体の前記開口内に設置され、前記プロテクターの表面が前記開口と面一に揃い、前記プロテクターの輪郭形状が前記開口の形状と一致し、前記プロテクターの外側辺縁が前記開口の内側壁面に密着され、前記圧電セラミックス素子が前記プロテクターの出音孔に向いた面に設置され、前記プロテクターが前記フロントチャンバに連通された複数の拡散孔を備え、前記複数の拡散孔が前記圧電セラミックス素子の周囲に、前記圧電式スピーカーの中心に対して対称に設置されてもよい。
前記ドームチャンバ体の軸方向における前記チャンバ部の断面形状が、前が広く後ろが狭い形状であって、前記開口に近い部分が広いことが望ましい。
【発明の効果】
【００１１】
本発明によれば、ダイナミック型スピーカーと圧電式スピーカーを一緒にドームチャンバ体内に組み込んで発音単体を形成するため、ダイナミック型スピーカーと圧電式スピーカーを独立した発音単体として先に組み立て、ハウジングを製造するのと同時にハウジング内に組み込むことができ、構造が簡単で、正確に位置決めしやすく、製造が容易であり、歩留まりが高いという利点を備えている。
また、圧電式スピーカーがフロントチャンバの空間を占用することがないため、フロントチャンバの空間が相対的に増加し、音のミキシングと共鳴効果を改善できる。
【図面の簡単な説明】
【００１２】
【図１】本発明の実施例１を示す可動コイル圧電単体式デュアルバンドイヤホンの断面図である。
【図２】本発明の実施例１に係るスピーカーユニットの分解斜視図である。
【図３】本発明の実施例１に係るスピーカーユニットの平面図である。
【図４】図３のＡ−Ａ断面図である。
【図５】本発明の実施例１に係るスピーカーユニットの側面図である。
【図６】本発明の実施例１に係るスピーカーユニットの底面図である。
【図７】本発明の実施例２を示す可動コイル圧電単体式デュアルバンドイヤホンの分解斜視図である。
【図８】本発明の実施例２を示す可動コイル圧電単体式デュアルバンドイヤホンの断面図である。
【発明を実施するための形態】
【００１３】
以下、本発明の実施例を図面に基づいて詳細に説明する。
図１〜図６は、本発明の実施例１を示す。
本発明の可動コイル圧電単体式デュアルバンドイヤホンは、ハウジング１０とスピーカーユニット２０を含む。
スピーカーユニット２０は、ドームチャンバ体３０、ダイナミック型スピーカー４０、圧電式スピーカー５０、回路ユニット６０を含む。
ダイナミック型スピーカー４０と圧電式スピーカー５０は一緒にドームチャンバ体３０内に組み込まれてボタンに似た構造の発音単体を形成する。回路ユニット６０はドームチャンバ体３０の外側に設置され、ダイナミック型スピーカー４０、圧電式スピーカー５０と外部音源回路（例えば音響設備のイヤホン差込口）を電気的に接続するために用いられる。スピーカーユニット２０は中空のハウジング１０内に設置され、スピーカーユニット２０の出音側とハウジング１０の間にフロントチャンバ３４が形成される。
【００１４】
ダイナミック型スピーカー４０と圧電式スピーカー５０は事前に組み立てて独立した発音単体とし、かつ一体成型プロセスによるハウジング１０の製造時に同時にハウジング１０内に組み込むことができる。
例えば、スピーカーユニット２０は治具により金型内に組み込まれ、金型に材料を注入する方法で一体成形によりハウジング１０が製作されて、スピーカーユニット２０がハウジング１０内に包み込まれるため、位置決めが正確で、製造が迅速、かつ歩留まりが高いという利点を備えている。
【００１５】
ハウジング１０の内部は中空で内部チャンバ１０１が形成される。また、ハウジング１０は出音孔１３を備え、出音孔１３とフロントチャンバ３４が連通される。出音孔１３は単一の穴の構造とすることができ、またはハウジング１０に分布された複数個の小さな穴を含んで構成される一種の網に似た構造としてもよい。
実施例１において、出音孔１３は単一の孔の構造であり、ハウジング１０はさらに出音管１４とイヤーピース１５（例えばシリコン材質の軟性イヤーピース）を含み、出音管１４は出音孔１３を介して内部チャンバ１０１に連通され、イヤーピース１５は出音管１４に装着される。好ましくは、出音管１４の出口側にさらに防塵スクリーン１６が設置される。
【００１６】
ドームチャンバ体３０は底がある容器の形状をした部材で、例えばプラスチック射出成型技術により製造される部材である。
ドームチャンバ体３０は底部３１と側壁３２を含み、側壁３２が底部３１を囲んでドームチャンバ体３０の中にチャンバ部３３が形成される。また、ドームチャンバ体３０はフロントチャンバ３４の方向に向いた開口３０１を備え（図２参照）、ドームチャンバ体３０の軸方向におけるチャンバ部３３の断面形状は前が広く後ろが狭い形状である。チャンバ部３３の開口３０１に近い部分が比較的広く、圧電式スピーカー５０がドームチャンバ体３０内に開口３０１へ臨んで設置され、圧電式スピーカー５０の表面が開口３０１とほぼ面一に揃い、圧電式スピーカー５０とハウジング１０の出音孔１３の間に間隔距離が保持されてフロントチャンバ３４が形成される。
【００１７】
ダイナミック型スピーカー４０はチャンバ部３３内に設置され、かつ圧電式スピーカー５０とドームチャンバ体３０底部３１の間に配置される。
回路ユニット６０はドームチャンバ体３０の底部３１の外側に設置され、回路ユニット６０がダイナミック型スピーカー４０、圧電式スピーカー５０と外部音源回路に電気的に接続される。例えば回路ユニット６０は第１回路接点６１（図３参照）によりイヤホンワイヤとイヤホンプラグに電気的に接続することができる。
圧電式スピーカー５０はドームチャンバ体３０の開口３０１に臨んで設置され、ダイナミック型スピーカー４０がチャンバ部３３内に設置され、かつ圧電式スピーカー５０とドームチャンバ体３０の底部３１との間に配置される。そして、ダイナミック型スピーカー４０と圧電式スピーカー５０の出音方向はいずれも出音孔１３のほうを向いている。
【００１８】
ダイナミック型スピーカー４０は中低音域の音声を生成するために用いられる。
本実施例では、ダイナミック型スピーカー４０は、ドライバーユニットとダイアフラム４１を含む。
ドライバーユニットは磁石４２と電磁コイル４３を含み、磁石４２がドームチャンバ体３０のチャンバ部３３内に設置され、かつ底部３１に固定される。例えば、直接または支持体を介して間接的に磁石４２をドームチャンバ体３０の底部３１に固定し、かつチャンバ部３３の比較的狭い部分に配置する。磁石４２とドームチャンバ体３０の側壁３２との間には間隙があり、電磁コイル４３が可動的に磁石４２の外側に設置され、かつ前記間隙内に配置される。
【００１９】
ダイアフラム４１はドームチャンバ体３０のチャンバ部３３内に設置され、ダイアフラム４１の周縁に固定リング４４（例えば銅リング）が設置される。固定リング４４はドームチャンバ体３０の側壁３２の内側壁面に固定（例えば粘着）され、ダイアフラム４１の内側表面（磁石４２に向いた面）に電磁コイル４３が連接（例えば粘着）され、電磁コイル４３のピン（即ち電磁コイルの線の先）がドームチャンバ体３０に穿通されて回路ユニット６０に電気的に接続される（例えば、電磁コイル４３のピンはドームチャンバ体３０の底部３１に穿通された電極ピンを通じて直接回路ユニット６０と電気的に接続されてもよい）。
一方で、ドームチャンバ体３０の底部３１には少なくとも２つの穿孔３５（図３参照）が設けられ、チャンバ部３３とハウジング１０の内部チャンバ１０１を連通し、ダイナミック型スピーカー４０のダイアフラム４１の動作時にチャンバ部３３内におけるダイナミック型スピーカー４０の圧力発生及びサウンド調節作用を調節することができる。
【００２０】
圧電式スピーカー５０は中高音域のスピーカーであり、かつ人の耳の鼓膜に比較的接近しており、波長の短い高音波が鼓膜まで出力される空間が小さいため、高品質かつクリアな中高音域の音声を出力することができる。
圧電式スピーカー５０はプロテクター５１と少なくとも１つの圧電セラミックス素子５２を含む。
プロテクター５１はドームチャンバ体３０内に開口３０１に臨んで設置され、好ましくは、プロテクター５１の表面と開口３０１が面一に揃っている。プロテクター５１の輪郭形状は開口３０１の形状に合わせてある。例えば、プロテクター５１と開口３０１の形状は円形（但しこれに限らない）とし、プロテクター５１の外側辺縁を開口３０１の内側壁面に密着させることができ、内部のダイナミック型スピーカー４０の保護と圧電セラミックス素子５２の取り付けに供され、圧電セラミックス素子５２がプロテクター５１の出音孔１３側の一側表面（好ましくはプロテクター５１の中心位置）に設置される。
プロテクター５１は従来のカバーと同じように、その周囲に複数の拡散孔５３を備える。拡散孔５３の好ましい形状は円形または楕円形であり、拡散孔５３が圧電セラミックス素子５２の周囲に、かつ圧電式スピーカー５０の中心の位置に対称に設置され、ダイナミック型スピーカー４０が発生する中低音域の音声がこれら拡散孔５３を通過して人の耳の方向に伝達され、これら拡散孔５３の形状、大きさ、数量、位置を調整することで、さらに出力されるサウンドを調整することができる。
【００２１】
ドームチャンバ体３０はフレーム７０を含み、フレーム７０がドームチャンバ体３０のチャンバ部３３内に設置され、かつダイナミック型スピーカーと圧電式スピーカーの間に介在される。
好ましくは、フレーム７０は環状の部材であり、かつドームチャンバ体３０の側壁３２内側に貼付される。フレーム７０は環状溝７１を備え、圧電式スピーカー５０のプロテクター５１の辺縁を支持するとともに、圧電式スピーカー５０とダイアフラム４１の間に間隔距離を保持させるために用いられる。
実施例１では、圧電式スピーカー５０はフレキシブルプリント配線５４を備え、回路ユニット６０と電気的に接続される。このため、外部音源回路が発生する音源信号が回路ユニット６０を介してダイナミック型スピーカー４０と圧電式スピーカー５０を駆動し、それぞれ異なる周波数の音響を生成することができる。
【００２２】
図７と図８に本発明の実施例２を示す。
実施例１との違いは、実施例２におけるハウジング１０が、フロントハウジング１１とリアハウジング１２を含む点であり、スピーカーユニット２０は同じ構造を有する。
図７と図８に示すように、フロントハウジング１１は、ハウジング１０全体のうちのより人の耳に近い方向の部分であり、出音孔１３を備え、フロントハウジング１１とリアハウジング１２を相互に組み立ててハウジング１０が形成される。
実施例２では、プラスチック射出成型技術でフロントハウジング１１とリアハウジング１２が製造され、リアハウジング１２の開口箇所及びフロントハウジング１１の開口箇所にそれぞれ相互に嵌合させることができる鉤部１２１と溝部１１１が形成される。
このため、リアハウジング１２の開口が嵌合方式でフロントハウジング１１の開口と相互に結合され、圧電式スピーカー５０とフロントハウジング１１の間に間隔距離が保持されて、フロントチャンバ３４が形成され、出音孔１３とフロントチャンバ３４が連通される。
【符号の説明】
【００２３】
１０  ハウジング
１０１  内部チャンバ
１１  フロントハウジング
１１１  溝部
１２  リアハウジング
１２１  鉤部
１３  出音孔
１４  出音管
１５  イヤーピース
１６  防塵スクリーン
２０  スピーカーユニット
３０  ドームチャンバ体
３０１  開口
３１  底部
３２  側壁
３３  チャンバ部
３４  フロントチャンバ
３５  穿孔
４０  ダイナミック型スピーカー
４１  ダイアフラム
４２  磁石
４３  電磁コイル
４４  固定リング
５０  圧電式スピーカー
５１  プロテクター
５２  圧電セラミックス素子
５３  拡散孔
５４  フレキシブルプリント配線
６０  回路ユニット
６１  第１回路接点
７０  フレーム
７１  環状溝
【図１】
2017204844.tif 000003
【図２】
2017204844.tif 000004
【図３】
2017204844.tif 000005
【図４】
2017204844.tif 000006
【図５】
2017204844.tif 000007
【図６】
2017204844.tif 000008
【図７】
2017204844.tif 000009
【図８】
2017204844.tif 000010